(57)【要約】【課題】、電子レシートのシステムを活用して駐車場等の施設を利用する際の料金収受をペーパーレスで行う。【解決手段】料金処理装置は、通信部と、記憶部と、制御部と、を含む。通信部は、電子レシートを管理するサーバと通信を行う。記憶部は、第１の読取部で読み取られた電子レシートの識別コードを時刻と関連付けて記憶する。制御部は、第２の読取部で識別コードが読み取られたことを条件に、サーバからその読み取られた識別コードで識別される利用者の電子レシートのデータを取り込む。また制御部は、その識別コードに関連付けて記憶部に記憶されている時刻と第２の読取部で識別コードが読み取られた時刻とから利用時間を算出する。そして制御部は利用時間と電子レシートのデータとに基づいて利用料金を算出し出力する。【選択図】      図７
2018156443.tif 000002
【特許請求の範囲】
【請求項１】
電子レシートを管理するサーバと通信を行う通信部と、
前記電子レシートを利用する利用者を識別する識別コードを読み取る第１の読取部で読み取られた前記識別コードを、当該識別コードが前記第１の読取部で読み取られた時刻と関連付けて記憶する記憶部と、
前記識別コードを読み取る第２の読取部で前記識別コードが読み取られたことを条件に、前記通信部を介して前記サーバからその読み取られた識別コードで識別される利用者の電子レシートのデータを取り込む第１の手段、前記第２の読取部で読み取られた識別コードに関連付けて前記記憶部に記憶されている時刻と前記第２の読取部で前記識別コードが読み取られた時刻とから利用時間を算出する第２の手段、及び、前記利用時間と前記電子レシートのデータとに基づいて利用料金を算出し出力する第３の手段、を含む制御部と、
を具備する料金処理装置。
【請求項２】
前記制御部は、
前記利用料金に対する支払いが完了したことを条件に、前記利用料金のデータを含む電子レシートを前記サーバに送信する第４の手段、をさらに含む請求項１記載の料金処理装置。
【請求項３】
前記制御部は、
前記第１の手段で取り込んだ前記電子レシートのデータの中から、当該データに含まれる取引日時が前記第２の読取部で読み取られた識別コードに関連付けて前記記憶部に記憶されている時刻以降の前記電子レシートのデータを抽出する第５の手段、をさらに含み、
前記第３の手段は、前記利用時間と前記第５の手段で抽出した前記電子レシートのデータとに基づいて利用料金を算出し出力する、請求項１又は２記載の料金処理装置。
【請求項４】
前記制御部は、
前記第１の手段で取り込んだ前記電子レシートのデータの中から、特定の店舗で発行された前記電子レシートのデータを抽出する第６の手段、をさらに含み、
前記第３の手段は、前記利用時間と前記第６の手段で抽出した前記電子レシートのデータとに基づいて利用料金を算出し出力する、請求項１又は２記載の料金処理装置。
【請求項５】
前記第１の読取部を備えた第１端末及び前記第２の読取部を備えた第２端末と通信を行う第２の通信部、
をさらに具備し、
前記第３の手段は、前記第２の通信部を介して前記第２端末に前記利用料金を出力する、請求項１乃至４のうちいずれか一記載の料金処理装置。
【請求項６】
電子レシートを管理するサーバと通信を行う通信部、を備えたコンピュータに、
前記電子レシートを利用する利用者を識別する識別コードを読み取る第１の読取部で読み取られた前記識別コードを、当該識別コードが前記第１の読取部で読み取られた時刻と関連付けて記憶部に記憶させる機能と、
前記識別コードを読み取る第２の読取部で前記識別コードが読み取られたことを条件に、前記通信部を介して前記サーバからその読み取られた識別コードで識別される利用者の電子レシートのデータを取り込ませる機能、
前記第２の読取部で読み取られた識別コードに関連付けて前記記憶部に記憶されている時刻と前記第２の読取部で前記識別コードが読み取られた時刻とから利用時間を算出させる機能、及び、
前記利用時間と前記電子レシートのデータとに基づいて利用料金を算出させ出力させる機能、
を実現させるための料金処理プログラム。
【発明の詳細な説明】
【技術分野】
【０００１】
本発明の実施形態は、料金処理装置及びコンピュータを当該料金処理装置として機能させるための料金処理プログラムに関する。
【背景技術】
【０００２】
近年、小売業界では、レシートのペーパーレス化を目的に電子レシートの普及が進んでいる。しかし、スーパーマーケット、ショッピングセンター等の小売店の駐車場では、相変わらず紙を媒体とする駐車券の発券、回収が主流である。この種の駐車場の利用料金は、利用時間とともに小売店での購買実績も考慮されて決定される。このため、小売店で駐車場利用者であることの証明となり、その小売店での購買実績を記録可能な駐車券の使用が避けられない状況となっている。
【０００３】
小売店での購買実績は、電子レシートに記録されている。そこで、電子レシートのシステムを活用し、駐車場等の施設を利用する際の料金収受もペーパーレスで行えるようになったならば大変好都合である。
【先行技術文献】
【特許文献】
【０００４】
【特許文献１】特開２００３‐２６３６６１号公報
【発明の概要】
【発明が解決しようとする課題】
【０００５】
本発明の実施形態が解決しようとする課題は、電子レシートのシステムを活用して駐車場等の施設を利用する際の料金収受をペーパーレスで行うことができる料金処理装置を提供しようとするものである。
【課題を解決するための手段】
【０００６】
一実施形態において、料金処理装置は、通信部と、記憶部と、制御部と、を含む。通信部は、電子レシートを管理するサーバと通信を行う。記憶部は、電子レシートを利用する利用者を識別する識別コードを読み取る第１の読取部で読み取られた識別コードを、当該識別コードが第１の読取部で読み取られた時刻と関連付けて記憶する。制御部は、識別コードを読み取る第２の読取部で識別コードが読み取られたことを条件に、通信部を介してサーバからその読み取られた識別コードで識別される利用者の電子レシートのデータを取り込む第１の手段、その読み取られた識別コードに関連付けて記憶部に記憶されている時刻と第２の読取部で識別コードが読み取られた時刻とから利用時間を算出する第２の手段、及び、利用時間と電子レシートのデータとに基づいて利用料金を算出し出力する第３の手段、を含む。
【図面の簡単な説明】
【０００７】
【図１】一実施形態の全体構成を示すブロック図。
【図２】料金処理サーバの要部構成を示すブロック図。
【図３】提携店舗データベースのデータ構造の一例を示す模式図。
【図４】料金テーブルのデータ構造の一例を示す模式図。
【図５】値引テーブルのデータ構造の一例を示す模式図。
【図６】利用者ファイルに記憶される利用者レコードのデータ構造を示す模式図。
【図７】料金処理プログラムに従ってプロセッサが実行する情報処理の手順を示す流れ図。
【発明を実施するための形態】
【０００８】
以下、電子レシートのシステムを活用して駐車場等の施設を利用する際の料金収受をペーパーレスで行うことができる料金処理装置の実施形態について、図面を用いて説明する。  
なお、この実施形態では、次のような料金体系の駐車場の料金収受を処理する料金処理装置を例示する。  
＜＜料金体系＞＞
・利用時間は最大１２時間
・利用時間が１時間未満は、基本料金100円
・以後、利用時間が８時間までは、利用開始から１時間経過する毎に100円加算
・利用時間が８時間を超えると、最大１２時間まで一律1,000円
・提携店舗での購買金額が0円の場合、値引無し
・提携店舗での購買金額が2,000円未満の場合、100円値引
・提携店舗での購買金額が2,000円以上3,000未満の場合、200円値引
・提携店舗での購買金額が3,000円以上の場合、300円値引
以上。
【０００９】
図１は、一実施形態の全体構成を示すブロック図である。この実施形態は、電子レシートシステム１と、駐車場の料金を管理する料金収受システム２とからなる。電子レシートシステム１は、電子レシートサービスに加盟している加盟店にそれぞれ構築されるＰＯＳ（Point Of Sales）システム３と、電子レシートセンタに設置される電子レシートサーバ４とを含む。ＰＯＳシステム３は、ＰＯＳ端末３１と、ストアサーバ３２とを含む。ＰＯＳ端末３１とストアサーバ３２とは、有線または無線のＬＡＮ（Local Area Network）で相互に接続されている。各ＰＯＳシステム３のストアサーバ３２は、それぞれインターネット等の広域のネットワーク５を介して電子レシートサーバ４と接続されている。
【００１０】
電子レシートシステム１は、電子レシートサービスを利用する利用者が、加盟店にて商品を購買したり役務の提供を受けたりして代金を支払った際にＰＯＳ端末３１から発行されるレシートを電子化して電子レシートサーバ４で保管しておくシステムである。利用者は、電子レシートサービスに登録した際に、利用者を識別するＩＤいわゆる電子レシートＩＤを取得する。電子レシートＩＤは、例えばスマートフォンにインストールされた電子レシートアプリケーションプログラムを起動することによって、スマートフォンの表示デバイスに表示される。電子レシートＩＤは、スキャナで読取り可能なようにコード化されて表示される。
【００１１】
利用者は、加盟店での会計の際に、店員に電子レシートＩＤを提示する。店員は、利用者との取引情報をＰＯＳ端末３１に登録するとともに、電子レシートＩＤをＰＯＳ端末３１に接続されたスキャナで読み取る。そうすると、ＰＯＳ端末３１において取引情報を基に生成されるレシートが電子化される。そしてこの電子化されたレシート、いわゆる電子レシートが電子レシートＩＤとともにストアサーバ３２を介して電子レシートサーバ４へと送られる。
【００１２】
電子レシートサーバ４は、各加盟店から送られてくる電子レシートを電子レシートＩＤ別に保管する。利用者は、パソコン又はスマートフォン等からウェブを介して電子レシートサーバ４にアクセスすることにより、自分の電子レシートを閲覧することができる。このような電子レシートシステム１は、既存のものを利用することができる。
【００１３】
料金収受システム２は、駐車場の入口に設置される第１端末６と、駐車場の出口に設置される第２端末７と、料金処理サーバ８とを含む。第１端末６及び第２端末７と料金処理サーバ８とは、ＬＡＮ等のネットワーク９で接続されている。
【００１４】
第１端末６は、プロセッサ６１、メモリ６２、ゲートコントローラ６３、通信インターフェース６４、スキャナ６５、表示器６６等を備える。さらに第１端末６は、アドレスバス，データバス等を含むシステム伝送路６７を有し、上記の各構成要素を、プロセッサ６１を中心にシステム伝送路６７で接続している。そして第１端末６は、プロセッサ６１にメモリ６２をシステム伝送路６７で接続することによって、コンピュータを構成している。
【００１５】
プロセッサ６１は、上記コンピュータの中枢部分に相当する。プロセッサ６１は、オペレーティングシステムやアプリケーションプログラムに従って、第１端末６としての各種の機能を実現するべく各部を制御する。
【００１６】
メモリ６２は、上記コンピュータの記憶部分に相当する。メモリ６２は、不揮発性のメモリ領域と揮発性のメモリ領域とを含む。メモリ６２は、不揮発性のメモリ領域ではオペレーティングシステムやアプリケーションプログラムを記憶する。またメモリ６２は、プロセッサ６１が各部を制御するための処理を実行する上で必要なデータを不揮発性又は揮発性のメモリ領域で記憶する場合もある。メモリ６２は、揮発性のメモリ領域を、プロセッサ６１によってデータが適宜書き換えられるワークエリア、表示バッファ等として使用する。
【００１７】
ゲートコントローラ６３は、駐車場の入口に設けられたゲートの開閉を制御する。通信インターフェース６４は、ネットワーク９を介して料金処理サーバ８と通信を行うためのインターフェースである。スキャナ６５は、例えば電子レシートサービス利用者のスマートフォンに表示された電子レシートＩＤを読み取るためのデバイスである。表示器６６は、駐車場へ入場する利用者へのガイダンス等を表示するためのデバイスである。
【００１８】
ここに、第１端末６のスキャナ６５は、電子レシートを利用する利用者を識別する識別コードを読み取る第１の読取部として機能する。  
なお第１端末６は、上記構成以外に、既存の駐車場の入口に設置されている駐車券発券機としての機能を組み込んでいてもよい。
【００１９】
第２端末７は、プロセッサ７１、メモリ７２、ゲートコントローラ７３、通信インターフェース７４、スキャナ７５、表示器７６、カードリーダ７７、金銭処理ユニット７８等を備える。さらに第２端末７は、アドレスバス，データバス等を含むシステム伝送路７９を有し、上記の各構成要素を、プロセッサ７１を中心にシステム伝送路７９で接続している。そして第２端末７は、プロセッサ７１にメモリ７２をシステム伝送路７９で接続することによって、コンピュータを構成している。
【００２０】
プロセッサ７１は、上記コンピュータの中枢部分に相当する。プロセッサ７１は、オペレーティングシステムやアプリケーションプログラムに従って、第２端末７としての各種の機能を実現するべく各部を制御する。
【００２１】
メモリ７２は、上記コンピュータの記憶部分に相当する。メモリ７２は、不揮発性のメモリ領域と揮発性のメモリ領域とを含む。メモリ７２は、不揮発性のメモリ領域ではオペレーティングシステムやアプリケーションプログラムを記憶する。またメモリ７２は、プロセッサ７１が各部を制御するための処理を実行する上で必要なデータを不揮発性又は揮発性のメモリ領域で記憶する場合もある。メモリ７２は、揮発性のメモリ領域を、プロセッサ７１によってデータが適宜書き換えられるワークエリア、表示バッファ等として使用する。
【００２２】
ゲートコントローラ７３は、駐車場の出口に設けられたゲートの開閉を制御する。通信インターフェース７４は、ネットワーク９を介して料金処理サーバ８と通信を行うためのインターフェースである。スキャナ７５は、例えば電子レシートサービス利用者のスマートフォンに表示された電子レシートＩＤを読み取るためのデバイスである。表示器７６は、駐車料金（支払い金額）等を表示するためのデバイスである。カードリーダ７７は、電子マネーカード、プリペイドカード等の駐車料金の支払いが可能なカード媒体のデータを読み取るためのデバイスである。金銭処理ユニット７８は、現金投入口から投入された現金を計数し、その合計金額と駐車料金とから釣銭額を算出して、釣銭がある場合にはその釣銭相当の現金を現金払出口へと払い出す機器である。
【００２３】
ここに、第２端末７のスキャナ７５は、電子レシートを利用する利用者を識別する識別コードを読み取る第２の読取部として機能する。  
なお第２端末７は、上記構成以外に、既存の駐車場の出口に設置されている料金精算機としての機能を組み込んでいてもよい。
【００２４】
料金処理サーバ８は、料金処理装置の一態様である。以下、図２〜図７を用いて、料金処理サーバ８について詳細に説明する。  
図２は、料金処理サーバ８の要部構成を示すブロック図である。図示するように料金処理サーバ８は、プロセッサ８１、メインメモリ８２、補助記憶デバイス８３、時計８４、第１の通信インターフェース８５、第２の通信インターフェース８６等を備える。さらに料金処理サーバ８は、アドレスバス，データバス等を含むシステム伝送路８７を有し、上記の各構成要素を、プロセッサ８１を中心にシステム伝送路８７で接続している。そして料金処理サーバ８は、プロセッサ８１にメインメモリ８２及び補助記憶デバイス８３をシステム伝送路８７で接続することによって、コンピュータを構成している。
【００２５】
プロセッサ８１は、上記コンピュータの中枢部分に相当する。プロセッサ８１は、オペレーティングシステムやアプリケーションプログラムに従って、料金処理サーバ８としての各種の機能を実現するべく各部を制御する。
【００２６】
メインメモリ８２は、上記コンピュータの主記憶部分に相当する。メインメモリ８２は、不揮発性のメモリ領域と揮発性のメモリ領域とを含む。メインメモリ８２は、不揮発性のメモリ領域ではオペレーティングシステムやアプリケーションプログラムを記憶する。またメインメモリ８２は、プロセッサ８１が各部を制御するための処理を実行する上で必要なデータを不揮発性又は揮発性のメモリ領域で記憶する場合もある。メインメモリ８２は、揮発性のメモリ領域を、プロセッサ８１によってデータが適宜書き換えられるワークエリア等として使用する。
【００２７】
補助記憶デバイス８３は、上記コンピュータの補助記憶部分に相当する。例えばＨＤＤ（Hard Disc Drive）、ＳＳＤ（Solid State Drive）、ＥＥＰＲＯＭ（Electric Erasable Programmable Read-Only Memory）等が補助記憶デバイス８３として使用される。補助記憶デバイス８３は、プロセッサ８１が各種の処理を行う上で使用するデータや、プロセッサ８１での処理によって生成されたデータを保存する。補助記憶デバイス８３は、上記のアプリケーションプログラムを記憶する場合もある。
【００２８】
時計８４は、現在の日付及び時刻を計時する。第１の通信インターフェース８５は、ネットワーク５を介して接続される電子レシートサーバ４と通信を行うインターフェースである。第２の通信インターフェース８６は、ネットワーク９を介して接続される第１端末６又は第２端末７と通信を行うインターフェースである。  
ここに、第１の通信インターフェース８５は、電子レシートサーバ４と通信を行う通信部として機能する。また第２の通信インターフェース８６は、第１の読取部（スキャナ６５）を備えた第１端末６及び第２の読取部（スキャナ７５）を備えた第２端末７と通信を行う第２の通信部として機能する。
【００２９】
かかる構成の料金処理サーバ８は、電子レシートシステム１を活用して駐車料金の収受をペーパーレスで行うことができるようにするために、補助記憶デバイス８３に、提携店舗データベース８３１、履歴データベース８３２、料金テーブル８３３、値引テーブル８３４及び利用者ファイル８３５を形成している。また料金処理サーバ８は、専用のアプリケーションプログラム、いわゆる料金処理プログラムを、メインメモリ１２又は補助記憶デバイス１３に記憶している。
【００３０】
提携店舗データベース８３１は、電子レシートサービスに加盟している加盟店のうち、料金収受システム２によって管理される駐車場と提携している店舗、いわゆる提携店舗の情報を記憶する。  
図３は、提携店舗データベース８３１のデータ構造の一例を示す模式図である。図示するように提携店舗データベース８３１には、提携店舗毎に、店舗ＩＤ、店舗名、営業時間、店舗連絡先等の項目が記憶されている。店舗ＩＤは、電子レシートサービスに加盟している加盟店を個々に識別するために加盟店毎に割り当てられた固有のコードである。因みに、各加盟店のＰＯＳ端末３１またはストアサーバ３２で生成される電子レシートには、取引日時、取引金額等の取引情報とともに店舗ＩＤが含まれている。
【００３１】
履歴データベース８３２は、駐車場の利用履歴に関する情報を記憶する。具体的には、後述する利用者ファイル８３５に記憶される利用者レコード８３５Ｒ（図６参照）を時系列に記憶する。
【００３２】
料金テーブル８３３は、駐車料金に関する設定情報を記憶する。  
図４は、料金テーブル８３３のデータ構造の一例を示す模式図である。図示するように料金テーブル８３３は、駐車場の利用時間Ｈに関連付けて、基本料金Ａを記憶する。因みに、図４に示される利用時間Ｈと基本料金Ａとの関係は、先に説明した料金体系に即したものである。
【００３３】
値引テーブル８３４は、駐車料金の値引に関する情報を記憶する。  
図５は、値引テーブル８３４のデータ構造の一例を示す模式図である。図示するように値引テーブル８３４は、駐車場利用者の提携店舗での購買金額Ｍに関連付けて、値引金額Ｂを記憶する。因みに、図５に示される購買金額Ｍと値引金額Ｂとの関係は、先に説明した料金体系に即したものである。
【００３４】
利用者ファイル８３５は、駐車場を利用している利用者に関する情報を記憶する。  
図６は、利用者ファイル８３５に記憶される利用者レコード８３５Ｒのデータ構造を示す模式図である。利用者レコード８３５Ｒは、電子レシートＩＤ、入り時刻、出時刻、利用時間、購買金額、値引額、支払い金額、支払種別等の項目を含む。これらの項目の詳細については、次に説明するプロセッサ８１の料金処理プログラムに従った情報処理の中で明らかにする。
【００３５】
因みに、利用者レコード８３５Ｒは、その電子レシートＩＤで識別される利用者による駐車場の利用が終了すると、履歴データベース８３２に保存されて、利用者ファイル８３５から削除される。
【００３６】
図７は、料金処理プログラムに従ってプロセッサ８１が実行する情報処理の手順を示す流れ図である。なお、図７に示すとともに以下に説明する処理の内容は一例である。同様な結果を得ることが可能であるならば、その処理手順及び処理内容は特に限定されるものではない。
【００３７】
始めに、駐車場の利用を開始する利用者は、例えばスマートフォンにインストールされた電子レシートアプリケーションプログラムを起動することによって、スマートフォンの表示デバイスに電子レシートＩＤを表示させる。そして利用者は、駐車場の入口に設置された第１端末６のスキャナ６５に、電子レシートＩＤを翳す。そうすると、第１端末６のプロセッサ６１は、ゲートコントローラ６３を制御してゲートを開放するとともに、スキャナ６５で読み取られた電子レシートＩＤを含む入り情報を料金処理サーバ８宛に送信するように、通信インターフェース６４を制御する。この制御により、通信インターフェース６４は、ネットワーク９を介して電子レシートＩＤを含む入り情報を料金処理サーバ８へと送信する。なお、ゲートコントローラ６３は、図示しないセンサで車両がゲートを通過したことを検知すると、ゲートを閉じる。
【００３８】
料金処理サーバ８のプロセッサ８１は、Ａｃｔ１として入り情報を受信したか否かを確認する。入り情報を受信していない場合（Ａｃｔ１にてＮＯ）、プロセッサ８１は、Ａｃｔ２として出情報を受信したか否かを確認する。出情報については後述する。出情報を受信していない場合（Ａｃｔ２にてＮＯ）、プロセッサ８１は、Ａｃｔ１に戻る。ここにプロセッサ８１は、Ａｃｔ１及びＡｃｔ２として、入り情報を受信するか出情報を受信するのを待ち受ける。
【００３９】
第１端末６から入り情報を受信すると（Ａｃｔ１にてＹＥＳ）、プロセッサ８１は、Ａｃｔ３として時計８４で計時されている日時を入り時刻として取得する。そしてプロセッサ８１は、Ａｃｔ４として利用者ファイル８３５に新規の利用者レコード８３５Ｒを追加し、この利用者レコード８３５Ｒに入り情報に含まれる電子レシートＩＤと、Ａｃｔ３で取得した入り時刻とを記録する。その後、プロセッサ８１は、Ａｃｔ１及びＡｃｔ２の待ち受け状態に戻る。  
ここに利用者ファイル８３５は、記憶部として機能する。
【００４０】
駐車場に車両を止めた利用者は、通常、提携店舗で商品を購買したり役務の提供を受けたりする。そして会計の際、小売店が電子レシートの加盟店であったならば、利用者は、電子レシートＩＤを店側に提示する。そうすると、前述した電子レシートシステム１の仕組みにより、利用者との取引情報を基に生成された電子レシートが電子レシートＩＤとともに電子レシートサーバ４へと送られる。
【００４１】
さて、駐車場の利用を終える利用者は、利用開始時と同様にスマートフォン等の表示デバイスに電子レシートＩＤを表示させる。そして利用者は、駐車場の出口に設置された第２端末７のスキャナ７５に、電子レシートＩＤを翳す。そうすると、第２端末７のプロセッサ７１は、スキャナ７５で読み取られた電子レシートＩＤを含む出情報を料金処理サーバ８宛に送信するように、通信インターフェース７４を制御する。この制御により、通信インターフェース７４は、ネットワーク９を介して電子レシートＩＤを含む出情報を料金処理サーバ８へと送信する。
【００４２】
Ａｃｔ１及びＡｃｔ２の待ち受け状態において、第２端末７から出情報を受信すると（Ａｃｔ２にてＹＥＳ）、プロセッサ８１は、Ａｃｔ５として時計８４で計時されている日時を出時刻として取得する。そしてプロセッサ８１は、Ａｃｔ６として利用者ファイル８３５を検索して、出情報に含まれる電子レシートＩＤが含まれた利用者レコード８３５Ｒを検出する。そしてプロセッサ８１は、この利用者レコード、つまりは駐車場の利用を終える利用者の利用開始時に作成された利用者レコード（以下、対象利用者レコード８３５Ｒと称する）に、Ａｃｔ５で取得した出時刻を記録する。またプロセッサ８１は、Ａｃｔ６として対象利用者レコード８３５Ｒの入り時刻から出時刻までの経過時間を算出し、この経過時間を利用時間Ｈとして対象利用者レコード８３５Ｒに記録する。
【００４３】
またプロセッサ８１は、Ａｃｔ７として電子レシートの問合せコマンドを電子レシートサーバ４宛に送信するように第１の通信インターフェース８５を制御する。この制御により第１の通信インターフェース８５は、出情報に含まれる電子レシートＩＤと、時計８４で計時されている本日の日付と、を含む問合せコマンドを生成し、ネットワーク５を介して問合せコマンドを電子レシートサーバ４へと送信する。  
なお、駐車場の利用が２日に跨るような場合もある。このような場合には、本日と前日の日付を含む問合せコマンドを生成し、ネットワーク５を介して問合せコマンドを電子レシートサーバ４へと送信すればよい。
【００４４】
上記問合せコマンドを受信した電子レシートサーバ４は、問合せコマンドに含まれる電子レシートＩＤ別に保管している電子レシートを検出する。また電子レシートサーバ４は、その検出された電子レシートから、取引日付が問合せコマンドに含まれた日付と一致する電子レシートを抽出する。そして電子レシートサーバ４は、抽出した電子レシートを全て含む応答コマンドを、ネットワーク５を介して料金処理サーバ８へと送信する。なお、取引日付が問合せコマンドに含まれた日付と一致する電子レシートを抽出できなかった場合には、電子レシートサーバ４は、電子レシート無しを示す応答コマンドを料金処理サーバ８へと送信する。
【００４５】
したがって、利用者が本日、加盟店での会計の際に発行されるレシートを電子レシートとした場合には、その電子レシートが含まれる応答コマンドが、電子レシートサーバ４から料金処理サーバ８へと送信される。これに対し、買物をしなかった等の理由から本日の電子レシートが無い場合には、電子レシート無しを示す応答コマンドが、電子レシートサーバ４から料金処理サーバ８へと送信される。
【００４６】
電子レシートの問合せを行ったプロセッサ８１は、Ａｃｔ８として応答コマンドを待ち受ける。そして電子レシートを含む応答コマンドを受信した場合には（Ａｃｔ８にてＹＥＳ）、プロセッサ８１は、Ａｃｔ９としてその応答コマンドに含まれる電子レシートの店舗ＩＤを調べる。そしてプロセッサ８１は、提携店舗データベース８３１に保存されている提携店舗ＩＤと一致する店舗ＩＤを含む電子レシートを抽出する。
【００４７】
提携店舗ＩＤと一致する店舗ＩＤを含む電子レシートを抽出し終えると、プロセッサ８１は、Ａｃｔ１０として抽出された電子レシートの取引時刻を調べる。そしてプロセッサ８１は、Ａｃｔ６の処理で利用者ファイル８３５から検出した利用者レコード８３５Ｒの入り時刻から出時刻までの利用期間内に取引時刻が含まれる電子レシートを抽出する。
【００４８】
なお、先に、問合せコマンドに含まれる電子レシートから利用期間内に取引時刻が含まれる電子レシートを抽出し、その後で、提携店舗ＩＤと一致する店舗ＩＤを含む電子レシートを抽出してもよい。
【００４９】
電子レシートの抽出を終えると、プロセッサ８１は、Ａｃｔ１１としてＡｃｔ９又はＡｃｔ１０の処理において電子レシートを１つも抽出できなかったか否かを確認する。そして、電子レシートを１つでも抽出できた場合（Ａｃｔ１１にてＹＥＳ）、プロセッサ８１は、Ａｃｔ１２としてその抽出できた電子レシートから購買金額Ｍを算出する。すなわちプロセッサ８１は、抽出できた電子レシートの取引金額を全て合算する。かくして、利用者が駐車場を利用している期間内に提携店舗で購買した商品の代金又は役務提供に対して支払った代金の合計が購買金額Ｍとして算出される。プロセッサ８１は、算出した購買金額Ｍを対象利用者レコード８３５Ｒに記録する。またプロセッサ８１は、Ａｃｔ１３として値引テーブル８３４を検索する。そして購買金額Ｍに対する値引金額Ｂを取得して、対象利用者レコード８３５Ｒに記録する。
【００５０】
値引金額Ｂを記録したならば、プロセッサ８１は、Ａｃｔ１４として料金テーブル８３３を検索する。そしてプロセッサ８１は利用時間Ｈに対する基本料金Ａを取得し、この基本料金Ａから値引額Ｂを値引して支払い金額Ｃを算出する。そしてプロセッサ８１は、この支払金額Ｃを対象利用者レコード８３５Ｒに記録する。
【００５１】
なお、応答コマンドが電子レシート無しであった場合（Ａｃｔ８にてＮＯ）、あるいは電子レシートを１つも抽出できなかった場合（Ａｃｔ１１にてＮＯ）、プロセッサ８１は、Ａｃｔ１４に進む。そしてこの場合、プロセッサ８１は、利用時間Ｈに対する基本料金Ａを料金テーブル８３３から取得し、この基本料金Ａを支払い金額Ｃとして対象利用者レコード８３５Ｒに記録する。
【００５２】
支払い金額Ｃを記録したならば、プロセッサ８１は、Ａｃｔ１５としてその支払い金額Ｃのデータを第２端末７宛に送信するように第２の通信インターフェース８６を制御する。この制御により、第２の通信インターフェース８６は、支払い金額Ｃのデータを、ネットワーク９を介して第２端末７へと送信する。
【００５３】
支払い金額Ｃのデータを受信した第２端末７のプロセッサ７１は、その支払い金額Ｃを表示器７６に表示させる。  
駐車場から出るために電子レシートＩＤをスキャナ７５に読み取らせた利用者は、表示器７６に表示された支払い金額Ｃに対して支払いを行う。例えば現金で支払う場合には、利用者は、必要な現金を金銭処理ユニット７８の現金投入口を投入する。電子マネーカード、プリペイドカード等のカード媒体で支払う場合には、利用者は、カード媒体のデータをカードリーダ７７で読み取らせる。
【００５４】
プロセッサ７１は、現金またはカード媒体による支払いが完了するのを待機する。そして支払いが完了したならば、プロセッサ７１は、ゲートコントローラ７３を制御してゲートを開放するとともに、支払い種別のデータを料金処理サーバ８宛に送信するように通信インターフェース７４を制御する。因みに、ゲートコントローラ７３は、図示しないセンサで車両がゲートを通過したことを検知すると、ゲートを閉じる。
【００５５】
支払種別のデータは、例えば現金で支払われた場合には「現金」、カード媒体で支払われた場合には「カード」となる。また、支払い金額Ｃが０円の場合、その支払い金額Ｃを表示器７６に表示させた時点で支払完了となる。この場合、支払種別のデータは、例えば「無し」となる。通信インターフェース７４は、上述した支払種別のデータを、ネットワーク９を介して料金処理サーバ８へと送信する。
【００５６】
料金処理サーバ８のプロセッサ８１は、Ａｃｔ１６として支払い金額Ｃに対する支払いが完了するのを待機する。第２端末７から支払い種別のデータを受信すると、プロセッサ８１は、支払い完了と認識する（Ａｃｔ１６にてＹＥＳ）。そしてプロセッサ８１は、Ａｃｔ１７として、その支払い種別のデータを対象利用者レコード８３５Ｒに記録する。
【００５７】
プロセッサ８１は、Ａｃｔ１８として対象利用者レコード８３５Ｒに記録されたデータを基に電子レシートを作成する。電子レシートには、入り時刻、出時刻、利用時間、購買金額、値引額、支払い金額、支払種別等のデータが含まれる。プロセッサ８１は、Ａｃｔ１９としてその電子レシートを対象利用者レコード８３５Ｒの電子レシートＩＤとともに電子レシートサーバ４宛に送信するように、第１の通信インターフェース８５を制御する。この制御により、第１の通信インターフェース８５は、電子レシートのデータを電子レシートＩＤとともにネットワーク５を介して電子レシートサーバ４へと送信する。その後、プロセッサ８１は、Ａｃｔ１及びＡｃｔ２の待ち受け状態に戻る。
【００５８】
電子レシートサーバ４は、料金処理サーバ８から受信した電子レシートについても、ＰＯＳシステム３から受信した電子レシートと同様に、電子レシートＩＤ別に保管する。したがって利用者は、パソコン又はスマートフォン等からウェブを介して電子レシートサーバ４にアクセスすることにより、駐車場を利用している間に提携店舗から発行された電子レシートのみならず、その駐車場の利用状況が記録された電子レシートも閲覧することができる。
【００５９】
ここに、料金処理サーバ８のプロセッサ８１は、Ａｃｔ２、Ａｃｔ７、Ａｃｔ８の処理を実行することにより、第１の手段を実現する。またプロセッサ８１は、Ａｃｔ５、Ａｃｔ６の処理を実行することにより、第２の手段を実現する。またプロセッサ８１は、Ａｃｔ９〜Ａｃｔ１５の処理を実行することにより、第３の手段を実現する。またプロセッサ８１は、Ａｃｔ１６〜Ａｃｔ１９の処理を実行することにより、第４の手段を実現する。またプロセッサ８１は、Ａｃｔ１０の処理を実行することにより、第５の手段を実現する。またプロセッサ８１は、Ａｃｔ９の処理を実行することにより、第６の手段を実現する。
【００６０】
このように本実施形態の料金処理サーバ８であれば、駐車場の利用開始時に利用者が入口に設置された第１端末６のスキャナ６５で自らの電子レシートＩＤを読み取らせてから、利用終了時に利用者が出口に設置された第２端末７のスキャナ７５で同じ電子レシートＩＤを読み取らせるまでの経過時間が、駐車場の利用時間として算出される。また、利用者が提携店舗で会計した際に発行され、電子レシートサーバ４に保管されている電子レシートから、利用者の駐車場利用期間中の購買実績（購買金額Ｍ）が算出される。そして、その利用時間と購買実績とから自動的に駐車料金が算出されて、第２端末７の表示器７６に表示される。したがって、駐車場の提携店舗に導入されている電子レシートシステム１を活用することで、駐車料金の収受をペーパーレスで行えるようになる。その際、購買実績の大小により、駐車料金の値引を自動的に行うこともできる。
【００６１】
また、料金処理サーバ８によれば、駐車場の利用状況を記録した電子レシートが、電子レシートサーバで電子レシートＩＤ別に保管される。したがって利用者は、加盟店での会計の際に発行された電子レシートと同様に、駐車場の利用状況を記録した電子レシートをスマートフォン等の情報端末で閲覧することができる。また、駐車場の利用状況を記録したレシートを、紙を媒体として発行する必要が無いので、この点においてもペーパーレス化を達成することができる。しかも、従来であれば領収書の発行ボタンを押して領収書が印字発行されるまで出口で待たなければならなかったが、本実施形態によれば待つ必要が無くなる。したがって、車両が駐車場の出口をスムーズに通過することができる。
【００６２】
ところで、電子レシートサーバ４には、駐車場を利用する以前に発行された電子レシートも保管されている。しかし、料金処理サーバ８によれば、利用開始時に利用者が第１端末６のスキャナ６５で自らの電子レシートＩＤを読み取らせたときの日時以降に発行された電子レシートを抽出して購買実績を得ている。したがって、駐車場を利用する以前に発行された電子レシートが駐車料金の計算に使用されることはない。
【００６３】
同様に、電子レシートサーバ４には、提携店舗以外の加盟店で発行された電子レシートも保管されている。しかし、料金処理サーバ８によれば、提携店舗データベース８３１に設定されている店舗ＩＤを含む電子レシートを抽出して購買実績を得ている。したがって、提携店舗以外の加盟店で発行された電子レシートが駐車料金の計算に使用されることはない。よって、既存の電子レシートシステム１をそのまま活用することができる。
【００６４】
以下、実施形態の変形例について説明する。  
前記実施形態では、ネットワーク９を介して料金処理サーバ８に接続される第１端末６及び第２端末７をそれぞれ１台ずつ示した。しかし、第１端末６及び第２端末７の台数は、２台以上であってもよい。また、第１端末６の台数と第２端末７の台数とが異なっていてもよい。第２端末７が複数台ある場合、各第２端末７に対して固有の端末ＩＤを割り当てる。そして、出情報を料金処理サーバ８に送信する際に、その端末ＩＤも含めて送信する。一方、料金処理サーバ８のプロセッサ８１は、図７のＡｃｔ２の処理で出情報を受信すると、その出情報に含まれる端末ＩＤをワークエリアで記憶する。そして、Ａｃｔ１５の処理で支払い金額Ｃのデータを送信する際、ワークエリアに記憶した端末ＩＤで特定される第２端末７宛にデータを送信する。このような情報処理を追加することにより、ネットワーク９に接続される第１端末６及び第２端末７の台数は任意となる。
【００６５】
前記実施形態では、第１端末６及び第２端末７に電子レシートＩＤを読み取らせる場合を例示した。電子レシートシステム１の中には、電子レシートＩＤと連携したポイントカードのＩＤをＰＯＳ端末３１に読み取らせることで、電子レシートの発行とともにサービスポイントの付与も行えるものが存在する。このような電子レシートシステム１と連携する場合には、第１端末６及び第２端末７に電子レシートＩＤと連携したカードのＩＤを読み取らせることも可能である。運転者が駐車場の出入口で車両を移動させる際にスマートフォンを操作することには問題がある。このような問題は、連携カードを用いることで解消される。
【００６６】
前記実施形態では、料金収受の対象となる施設を駐車場としたが、駐車場に限定されるものではない。例えば遊園地、遊戯施設、温浴施設等、利用料金が定められている施設において、施設内で飲食等に使用した金額の大小によって特典が付与される場合がある。このような場合、施設内の店舗を電子レシートシステム１の加盟店とするとともに、施設の入口に第１端末６を設置し、出口に第２端末７を設置する。また、第２端末７は、スマートフォン等との近距離無線通信によって特典情報をダウンロードできるようにする。このように構成することにより、電子レシートの利用者に対しては、施設から出る際に、施設内で飲食等に使用した金額で特典を電子的に付与することができる。したがって、電子レシートの有益性が高まるので、電子レシートの普及にもつながる。
【００６７】
なお、料金処理サーバ８の譲渡は一般に、料金処理プログラム等のプログラムがメモリに記憶された状態にて行われる。しかしこれに限らず、プログラムがメモリに記憶されていない状態で、あるいは別の制御プログラムがメモリに記憶された状態で譲渡されてもよい。そしてこの場合は、料金処理サーバ８が備える書き込み可能な記憶デバイスに、この料金処理サーバ８とは個別に譲渡された料金処理プログラム等がユーザなどの操作に応じて書き込まれるか、上記の別の制御プログラムを料金処理プログラムに書き替えてもよい。料金処理プログラム等の譲渡は、リムーバブルな記録媒体に記録して、あるいはネットワークを介した通信により行うことができる。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００６８】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１…電子レシートシステム、２…料金収受システム、３…ＰＯＳシステム、４…電子レシートサーバ、５…ネットワーク、６…第１端末、７…第２端末、８…料金処理サーバ、９…ネットワーク、６５…スキャナ（第１の読取部）、７５…スキャナ（第２の読取部）、６１，７１，８１…プロセッサ、８２…メインメモリ、８３…補助記憶デバイス、８４…時計、８５…第１の通信インターフェース８５…第２の通信インターフェース、８３１…提携店舗データベース、８３２…履歴データベース、８３３…料金テーブル、８３４…値引テーブル、８３５…利用者ファイル。
【図１】
2018156443.tif 000003
【図２】
2018156443.tif 000004
【図３】
2018156443.tif 000005
【図４】
2018156443.tif 000006
【図５】
2018156443.tif 000007
【図６】
2018156443.tif 000008
【図７】
2018156443.tif 000009